(57)【特許請求の範囲】
【請求項１】
画像信号を生成する本体部と、
前記本体部から受けた画像信号によって画像を形成して投射する画像提供部と、
スクリーンが一面に形成されたものであって、前記画像提供部から入射された画像が前記スクリーンに表示されるように画像をガイドする平坦な透明導光板とを備え、
前記透明導光板は、
前記画像提供部から投射された画像が入射する画像入射面と、
前記入射面と対向し、前記入射面を通じて入射した画像を拡大反射する拡大反射面と、
前記スクリーンと平行に対向するものであって、前記拡大反射面によって反射された画像を全反射してスクリーンに向かわせる全反射面とを備え、
前記画像入射面と拡大反射面とは、前記透明導光板の一側端部で相互対向するように形成されていることを特徴とする背面投射ディスプレイ。
【請求項２】
前記画像入射面は、球面または非球面であることを特徴とする請求項１に記載の背面投射ディスプレイ。
【請求項３】
前記拡大反射面は、画像の歪曲を補償するように形成された非球面であることを特徴とする請求項１に記載の背面投射ディスプレイ。
【請求項４】
前記スクリーンは、前記透明導光板の表面に直接形成されるか、または付着されたものであって、光拡散板、全反射プリズムアレイ及びホログラムパターンのうち何れか一つであることを特徴とする請求項１に記載の背面投射ディスプレイ。
【請求項５】
前記画像提供部は、
光源と、
前記光源から出射された光を前記本体部から受けた画像信号によって変調して画像を形成する光変調部と、
前記光源と光変調部との間に配置されたものであって、光源から出射された光を前記光変調部に均一に照射する照明光学系と、
前記光変調部で形成された画像を投射する投射光学系と、を備えることを特徴とする請求項１ないし４のうち何れか一項に記載の背面投射ディスプレイ。
【請求項６】
前記画像提供部は、前記投射光学系から投射された画像を前記透明導光板の画像入射面に反射する折り畳みミラーをさらに備えることを特徴とする請求項５に記載の背面投射ディスプレイ。
【請求項７】
前記透明導光板は、前記本体部に回動可能に結合されることによって、前記本体部に対して所定の角度に立てられるか、または前記本体部の上面上に折り畳まれることを特徴とする請求項１ないし４のうち何れか一項に記載の背面投射ディスプレイ。
【請求項８】
前記本体部は、携帯電話機、ＰＤＡ、ノート型パソコン及びパームトップコンピュータのうち何れか一つであることを特徴とする請求項７に記載の背面投射ディスプレイ。
【請求項９】
画像信号を生成する本体部と、前記本体部から受けた画像信号によって画像を形成して投射する画像提供部と、スクリーンが一面に形成されたものであって、前記画像提供部から入射された画像が前記スクリーンに表示されるように画像をガイドする平坦な透明導光板と、を備え、
前記透明導光板は、
前記透明導光板の一側端部に形成されたものであって、前記画像提供部から投射された画像が入射する画像入射面と、
前記入射面と対向し、前記入射面を通じて入射した画像を前記透明導光板の他側端部に反射する第１反射面と、
前記第１反射面で反射された画像を前記スクリーンの対向面に反射する第２反射面と、
前記スクリーンの対向面に形成されたものであって、前記第２反射面によって反射された画像をスクリーンに垂直に反射するミラーアレイとを備え、
前記画像入射面と第１反射面とは、前記透明導光板の一側端部で相互対向するように形成されており、前記第２反射面は、前記透明導光板の他側端部に形成されていることを特徴とする背面投射ディスプレイ。
【請求項１０】
前記画像入射面は、球面または非球面であることを特徴とする請求項９に記載の背面投射ディスプレイ。
【請求項１１】
前記第１及び第２反射面は、画像の歪曲を補償するように形成された非球面であるものであって、前記第１反射面は凸面であり、第２反射面は凹面であることを特徴とする請求項９に記載の背面投射ディスプレイ。
【請求項１２】
前記スクリーンの対向面に形成されたミラーアレイは、ノコギリ歯型ミラーアレイ及びフレネルレンズ型ミラーアレイのうち何れか一つであることを特徴とする請求項９に記載の背面投射ディスプレイ。
【請求項１３】
前記スクリーンは、前記透明導光板の表面に直接形成されるか、または付着されたものであって、光拡散板、全反射プリズムアレイ、ホログラムパターン、レンチキューラスクリーン、マイクロレンズスクリーンのうち何れか一つであることを特徴とする請求項９に記載の背面投射ディスプレイ。
【請求項１４】
前記画像提供部は、
光源と、
前記光源から出射された光を前記本体部から受けた画像信号によって変調して画像を形成する光変調部と、
前記光源と光変調部との間に配置されたものであって、光源から出射された光を前記光変調部に均一に照射する照明光学系と、
前記光変調部で形成された画像を投射する投射光学系と、を備えることを特徴とする請求項９ないし１３のうち何れか一項に記載の背面投射ディスプレイ。
【請求項１５】
前記画像提供部は、前記投射光学系から投射された画像を前記透明導光板の画像入射面に反射する折り畳みミラーをさらに備えることを特徴とする請求項１４に記載の背面投射ディスプレイ。
【請求項１６】
前記透明導光板は、前記本体部に回動可能に結合されることによって、前記本体部に対して所定の角度に立てられるか、または前記本体部の上面上に折り畳まれることを特徴とする請求項９ないし１３のうち何れか一項に記載の背面投射ディスプレイ。
【請求項１７】
前記本体部は、携帯電話機、ＰＤＡ、ノート型パソコン及びパームトップコンピュータのうち何れか一つであることを特徴とする請求項１６に記載の背面投射ディスプレイ。
【発明の詳細な説明】
【技術分野】
【０００１】
本発明は、背面投射ディスプレイに係り、さらに詳細には、薄くて小さく製造されることによって、モバイル用として使用しうるコンパクトな背面投射ディスプレイに関する。
【背景技術】
【０００２】
一般的に、ノート型パソコン、ＰＤＡ（パーソナル  デジタル  アシスタンス）、携帯電話のような携帯用機器は、液晶ディスプレイ（ＬＣＤ）、有機発光素子（ＯＬＥＤ）ディスプレイのように、薄くて軽く、かつ消費電力の少ないディスプレイ装置を使用している。しかし、ＬＣＤやＯＬＥＤのようなディスプレイ装置は、駆動回路によって、実際の画像がディスプレイされる領域の周りには、画像がディスプレイされない枠部分が存在する。例えば、携帯電話やノート型パソコンの場合、メインボード及びキーボードが設置された本体部と連結されたカバー部にディスプレイが搭載されるが、ディスプレイ領域の面積は、カバー部全体面積の６０％〜８０％に過ぎない。したがって、ディスプレイのサイズを増大させるのに限界がある。
【０００３】
これにより、前面または背面投射方式のディスプレイをノート型パソコン、ＰＤＡ、携帯電話のような携帯用機器に適用して、カバー部のほぼ全体面をディスプレイ領域として活用しうる技術が研究されている。特に、最近には、ＤＭＢ（デジタル  マルチメディア  ブロードキャスティング）のような移動式マルチメディア放送サービスが提供され始めながら、携帯電話のような小型モバイル装置でディスプレイのサイズを可能な限り大きくする必要性が増大している。
【０００４】
図１ないし図３Ｂは、このような携帯用機器に使用しうる従来の背面投射方式のディスプレイを例示的に示している。
【０００５】
まず、図１は、特許文献１に開示された“コンピュータ用投射ディスプレイ”を示している。図１を参照するに、特許文献１に開示された従来の背面投射ディスプレイの場合、本体１０で生成された画像信号は、ケーブル１２を通じてスクリーン１５の上端にあるプロジェクタ１１に伝えられる。プロジェクタ１１は、画像信号によって画像を生成して拡大ミラー１４に画像を入射させる。それにより、画像は、前記拡大ミラー１４によって拡大されてスクリーン１５に投射されうる。非使用時、前記拡大ミラー１４は、トレイ１３を通じて本体１０の内部に引き込まれることが可能である。
【０００６】
図２は、特許文献２に開示された“コンパクト投射システム”を示している。図２を参照するに、携帯電話のような本体２０の一側にプロジェクタ２１が伸縮型支持部材２２を通じて搭載されている。また、本体２０の上端には、折り畳み式スクリーン２３が設置されている。本体２０で生成された画像信号は、支持部材２２を通じてプロジェクタ２１に伝達され、プロジェクタ２１は、画像をスクリーン２３に投射する。スクリーン２３は、非使用時、本体２０の上面２４上に折り畳まれうる。
【０００７】
また、図３Ａ及び図３Ｂは、特許文献３に開示された“平板ディスプレイ”を示している。図３Ａを参照するに、プロジェクタ３１から投射された画像は、ミラー３２を通じて透明平板３３の一側に入射した後、全反射によって透明平板３３の内部を進む。その後、厚さが徐々に薄くなるように、一面がテーパ状のガラス２６の一側にシリンドリカルレンズ３４を通じて画像が入射する。シリンドリカルレンズ３４の上面及び下面には、画像を外部に放出させないためにミラー３５ａ,３５ｂが付着されている。図３Ｂに示したように、ガラス３６の一面がテーパ状になっているため、ガラス３６の内部を進む画像のうち一部は、全反射条件を満足できなくてガラス３６の上面に放出される。したがって、ガラス３６の上面に形成されたスクリーン３７を通じて画像を観察しうる。
【０００８】
しかし、前述した従来の小型の背面投射ディスプレイは、組立て時に部品の正確な整列が非常に難しい。また、図１及び図２に示された従来の技術の場合、ミラー１４またはプロジェクタ２１が本体から引き込まれる構造であるので、故障が発生しやすい。さらに、画像が正確にディスプレイされるためには、ミラー１４またはプロジェクタ２１が正確な位置で固定された状態でなければならず、これらと対応するスクリーン１５,２３も正確な角度で立てられていなければならない。図３に示された従来の技術の場合、正確な位置で画像が放出されるように、ガラス３６のテーパ状の面に複雑な構造のコーティング層が存在せねばならない。
【特許文献１】米国特許第６,５２５,７５０号明細書
【特許文献２】米国特許第６,６３７,８９６号明細書
【特許文献３】米国特許第６,８７０,６７１号明細書
【特許文献４】米国特許第６,１８４,９４３号明細書
【特許文献５】日本特許公開第平７−２９５６７８号公報
【発明の開示】
【発明が解決しようとする課題】
【０００９】
本発明は、前述した従来の技術を改善するためのものであって、さらに簡単な構造を有し、かつ部品が一体に構成されうるコンパクトな背面投射ディスプレイを提供することを目的とする。
【課題を解決するための手段】
【００１０】
本発明の一類型によるコンパクトな背面投射ディスプレイは、画像信号を生成する本体部と、前記本体部から受けた画像信号によって画像を形成して投射する画像提供部と、スクリーンが一面に形成されたものであって、前記画像提供部から入射された画像が前記スクリーンに表示されるように画像をガイドする平坦な透明導光板と、を備えることを特徴とする。
【００１１】
本発明によれば、前記透明導光板は、前記画像提供部から投射された画像が入射する画像入射面と、前記入射面と対向し、前記入射面を通じて入射した画像を拡大反射する拡大反射面と、前記スクリーンと平行に対向するものであって、前記拡大反射面によって反射された画像を全反射してスクリーンに向かわせる全反射面と、を備えることを特徴とする。
【００１２】
前記画像入射面と拡大反射面とは、前記透明導光板の一側端部で相互対向するように形成される。
【００１３】
前記画像入射面は、球面または非球面であり、前記拡大反射面は、画像の歪曲を補償するように形成された非球面であることが望ましい。
【００１４】
また、前記スクリーンは、前記透明導光板の表面に直接形成されるか、または付着されたものであって、光拡散板、全反射プリズムアレイ及びホログラムパターンのうち何れか一つでありうる。
【００１５】
一方、前記画像提供部は、光源と、前記光源から出射された光を前記本体部から受けた画像信号によって変調して画像を形成する光変調部と、前記光源と光変調部との間に配置されたものであって、光源から出射された光を前記光変調部に均一に照射する照明光学系と、前記光変調部で形成された画像を投射する投射光学系とを備えうる。
【００１６】
また、前記画像提供部は、前記投射光学系から投射された画像を前記透明導光板の画像入射面に反射する折り畳みミラーをさらに備えうる。
【００１７】
本発明によれば、前記透明導光板は、前記本体部に回動可能に結合されることによって、前記本体部に対して所定の角度で立てられるか、または前記本体部の上面上に折り畳まれうることが望ましい。
【００１８】
前記本体部は、携帯電話機、ＰＤＡ、ノート型パソコン及びパームトップコンピュータのうち何れか一つでありうる。
【００１９】
一方、本発明の他の類型によるコンパクトな背面投射ディスプレイは、画像信号を生成する本体部と、前記本体部から受けた画像信号によって画像を形成して投射する画像提供部と、スクリーンが一面に形成されたものであって、前記画像提供部から入射された画像が前記スクリーンに表示されるように画像をガイドする平坦な透明導光板と、を備え、ここで、前記透明導光板は、前記透明導光板の一側端部に形成されたものであって、前記画像提供部から投射された画像が入射する画像入射面と、前記入射面と対向し、前記入射面を通じて入射した画像を前記透明導光板の他側端部に反射する第１反射面と、前記第１反射面から反射された画像を前記スクリーンの対向面に反射する第２反射面と、前記スクリーンの対向面に形成されたものであって、前記第２反射面によって反射された画像をスクリーンに垂直に反射するミラーアレイとを備えることを特徴とする。
【００２０】
本発明によれば、前記画像入射面と第１反射面とは、前記透明導光板の一側端部で相互対向するように形成されており、前記第２反射面は、前記透明導光板の他側端部に形成される。
【００２１】
前記透明導光板の画像入射面は、球面または非球面でありうる。
【００２２】
また、前記第１及び第２反射面は、画像の歪曲を補償するように形成された非球面であることが望ましく、第１反射面は凸面であり、第２反射面は凹面である。
【００２３】
前記スクリーンの対向面に形成されたミラーアレイは、ノコギリ歯型またはフレネルレンズ型ミラーアレイでありうる。
【００２４】
また、前記スクリーンは、前記透明導光板の表面に直接形成されるか、または付着されたものであって、光拡散板、全反射プリズムアレイ、ホログラムパターン、レンチキューラスクリーン、マイクロレンズスクリーンのうち何れか一つでありうる。
【発明の効果】
【００２５】
本発明による背面投射ディスプレイは、多数の部品が整列されて動作する従来の技術とは異なり、一つの透明導光板のみを利用して背面投射が可能である。したがって、組立て及び製造が比較的容易であり、製造コストが低減しうる。それだけでなく、従来の技術とは異なり、構成が単純であり、背面投射のために多数の部品を移動させる必要がないため、故障が発生するおそれが少なくて携帯用に適しており、薄くてコンパクトな製造が可能である。
【発明を実施するための最良の形態】
【００２６】
以下、添付された図面を参照して本発明をさらに詳細に説明する。
【００２７】
図４は、本発明の第１実施例によるコンパクトな背面投射ディスプレイの側面構造を概略的に示す図である。図４を参照するに、本発明の第１実施例によるコンパクトな背面投射ディスプレイ４０は、画像信号を生成する本体部４１と、本体部４１から受けた画像信号によって画像を形成して投射する画像提供部４２と、スクリーン４５が一面に形成されており、画像提供部４２から入射された画像がスクリーン４５に表示されるように画像をガイドする平坦な透明導光板４４と、を備える。
【００２８】
本体部４１の内部には、画像信号を生成するための色々な電子回路が装着されている。また、本体部４１の上面には、図５Ｂに示したように、ユーザが情報や命令を入力するためのキーボード４８が配列されている。例えば、本体部４１は、携帯電話機、ＰＤＡ、ノート型パソコン、パームトップコンピュータのような各種の携帯用電子機器でありうる。このような本体部４１は、図４に示したように、例えば、ヒンジ部材４７を通じて透明導光板４４に回動可能に結合されうる。したがって、図５Ａに示したように、使用時には、スクリーン４５が本体部４１に対して所定の角度で立てられうる。また、図５Ｃに示したように、非使用時には、スクリーン４５が形成された透明導光板４４を本体部４１の上面上に折り畳みうる。
【００２９】
画像提供部４２は、後述するように、公知のプロジェクタまたはプロジェクションディスプレイの一般的な画像提供部と同じ構造及び機能を有する。すなわち、画像提供部４２は、本体部４１から画像信号を受け、画像信号によって画像を形成して投射する。画像提供部４２から投射された画像は、本発明による透明導光板４４に入射された後、スクリーン４５にディスプレイされる。画像提供部４２の光軸が、図５Ｂに示したように、透明導光板４４の表面と平行した場合には、画像提供部４２から投射された画像が透明導光板４４に入射できるように、折り畳みミラー４３を画像提供部４２と透明導光板４４との間に配置しうる。
【００３０】
透明導光板４４は、画像提供部４２から入射された画像が透明導光板４４の内部を進んで透明導光板４４の一面に形成されたスクリーン４５に表示されるようにガイドする。したがって、透明導光板４４は、例えば、ガラスやＰＭＭＡ（Ｐｏｌｙｍｅｔｈｙｌ  Ｍｅｔａｃｒｙｌａｔｅ）のような透光率に優れたプラスチック材料を使用する。
【００３１】
図６には、このような画像提供部４２及び透明導光板４４の構造がさらに詳細に示されている。
【００３２】
図６に示されたように、画像提供部４２は、光源４２ａ、照明光学系４２ｂ、光変調部４２ｃ及び投射光学系４２ｄを一般的に備える。光源４２ａは、例えば、発光ダイオード（ＬＥＤ）、レーザダイオード（ＬＤ）、面発光レーザ（Ｖｅｒｔｉｃａｌ  Ｃａｖｉｔｙ  Ｓｕｒｆａｃｅ  Ｅｍｉｔｔｉｎｇ  Ｌａｓｅｒ：ＶＣＳＥＬ）またはマイクロレーザ（ＭＬ）のような小型光源を使用しうる。光源４２ａから出射された光は、照明光学系４２ｂに入射する。公知のように、照明光学系４２ｂは、入射光を均一にさせるものであって、例えば、多数のレンズとインテグレータとで構成される。したがって、照明光学系４２ｂを通過した光は、光変調部４２ｃを均一に照明する。光変調部４２ｃは、本体部４１から受けた画像信号によって入射光を変調して画像を形成する役割を行う。このような光変調４２ｃとしては、例えば、透明なＡＭＬＣＤ（アクティブ  マトリックス  ＬＣＤ）、ＬＣＯＳ（リキッド  クリスタル  オン  シリコン）、ＤＭＤ（デジタル  マイクロミラー  デバイス）または有機発光ダイオード（ＯＬＥＤ）を一般的に使用しうる。光変調部４２ｃによって形成された画像は、多数のレンズで構成された投射光学系４２ｄを通じて透明導光板４４に投射される。前述したように、光軸が透明導光板４４の表面と平行した場合には、折り畳みミラー４３（図５Ｂを参照）が投射光学系４２ｄの次に配置されうる。
【００３３】
図６を参照するに、投射光学系４２ｄから投射された画像は、透明導光板４４の画像入射面４４ａに入射する。図６に示したように、画像入射面４４ａは、透明導光板４４の下側端部に球面または非球面に凹状になっている。このような画像入射面４４ａは、図５Ｂに点線で示したように、垂直方向だけでなく水平方向にも球面または非球面を有する。したがって、投射光学系４２ｄから投射された画像は、画像入射面４４ａを通じて透明導光板４４の内部に拡大されて入射する。
【００３４】
このように透明導光板４４の内部に入射した画像は、拡大反射面４４ｂによって反射されて透明導光板４４の全反射面４４ｃに向かう。図６に示したように、拡大反射面４４ｂは、透明導光板４４の下側端部で画像入射面４４ａと対向する面を凹状にした後、凹状になった面に反射コーティングを行うことによって形成される。したがって、拡大反射面４４ｂは、凸状の反射面を有する。ここで、拡大反射面４４ｂは、画像の歪曲を補償するように設計された非球面で形成される。画像入射面４４ｂと同様に、図５Ｂに点線で示したように、拡大反射面４４ｂは、垂直方向だけでなく水平方向にも非球面を有するように形成される。したがって、画像は、拡大反射面４４ｂによって垂直及び水平方向に拡大反射されて全反射面４４ｃに向かう。
【００３５】
拡大反射面４４ｂによって反射されて透明導光板４４の全反射面４４ｃに入射した画像は、全反射面４４ｃによって全反射される。図６に示したように、全反射面４４ｃとスクリーン４５とは、透明導光板４４の相互対向する面にそれぞれ形成されている。したがって、全反射面４４ｃによって全反射された画像は、スクリーン４５に入射し、スクリーン４５を通じて透明導光板４４の外部に出射される。しかし、全反射面４４ｃによって全反射された画像が斜めな角度でスクリーン４５に入射するため、スクリーン４５は、画像を全ての方向に均一に拡散させねばならない。スクリーン４５が単純な平面である場合、画像は、斜めな角度で出射されるため、画像を適切に観察しうる視野角が非常に狭くなる。したがって、スクリーン４５として、例えば、光拡散板、全反射（ＴＩＲ：Ｔｏｔａｌ  Ｉｎｔｅｒｎａｌ  Ｒｅｆｌｅｃｔｉｏｎ）プリズムアレイ、またはホログラムパターンのように、光を均一に拡散させる手段を使用することが望ましい。このようなスクリーン４５は、透明導光板４４の表面に直接形成されるか、または透明な光接着剤を利用して透明導光板４４の表面に付着されうる。
【００３６】
このような本発明によれば、多数の部品が整列されて動作する従来の技術とは異なり、一つの透明導光板４４を利用して背面投射が可能である。したがって、製造が容易であり、製造コストが低減されうる。それだけでなく、従来の技術とは異なり、構成が単純であり、背面投射のために多数の部品を移動させる必要がないため、故障が発生する恐れが少なくて携帯用に適しており、薄くてコンパクトに製造が可能である。
【００３７】
図７は、本発明の第２実施例によるコンパクトな背面投射ディスプレイの構造を概略的に示している。図７では、本体部の図示が省略され、図６のように、画像提供部５２及び透明導光板５４の構造が重点的に示されている。しかし、第１実施例と同様に、本体部は、携帯電話機、ＰＤＡ、ノート型パソコンまたはパームトップコンピュータであり、例えば、ヒンジ部材を通じて透明導光板５４と回動可能に結合されうる。
【００３８】
図７に示したように、本発明の第２実施例による画像提供部５２は、図６に示した画像提供部４２と同じ構造を有する。すなわち、画像提供部５２は、光源５２ａ、光源５２ａから出射された光を光変調部５２ｃに均一に照射する照明光学系５２ｂ、光源５２ａから出射された光を本体部から受けた画像信号によって変調して画像を形成する光変調部５２ｃ及び光変調部５２ｃで形成された画像を投射する投射光学系５２ｄを備える。また、図７には示されていないが、前述した第１実施例と同様に、画像提供部５２の光軸が透明導光板５４の表面と平行した場合には、投射光学系５２ｄの次に折り畳みミラーが配置されうる。
【００３９】
投射光学系５２ｄから投射された画像は、透明導光板５４の画像入射面５４ａに入射する。図７に示したように、画像入射面５４ａは、透明導光板５４の下側端部に球面または非球面に凹状になっている。画像入射面５４ａを通じて透明導光板５４の内部に入射した画像は、画像入射面５４ａと対向する第１反射面５４ｂに入射する。図７に示したように、第１反射面５４ｂは、透明導光板５４の下側端部で画像入射面５４ａと対向する面を凹状にした後、凹状になった面に反射コーティングを行うことによって形成される。第１反射面５４ｂは、画像の歪曲を補償するように設計された凸状の非球面であることが望ましい。
【００４０】
本発明の第２実施例による背面投射ディスプレイ５０で、第１反射面５４ｂに入射した画像は、透明導光板５４の上側端部に形成された第２反射面５４ｃに反射される。図７に示したように、第１反射面５４ｂと第２反射面５４ｃとは、透明導光板５４の両側端部で相互対向するように配置されている。第２反射面５４ｃは、入射画像をスクリーン５５との対向面に形成されたミラーアレイ５４ｄに反射する。このために、第２反射面５４ｃは、凹状の非球面であることが望ましい。
【００４１】
本発明の第２実施例による透明導光板５４で、スクリーン５５と対向する面に形成されたミラーアレイ５４ｄは、第２反射面５４ｃから反射された画像をスクリーンに垂直に反射する役割を行う。このために、ミラーアレイ５４ｄは、図８に拡大して示したように、ノコギリ歯型またはフレネルレンズ型ミラーアレイの形態を有する。すなわち、ミラーアレイ５４ｄは、多数の微細な傾斜ミラーが平行に配列された形態を有する。このようなミラーアレイ５４ｄを使用することによって、画像がスクリーンに斜めに入射する第１実施例の場合とは異なり、第２実施例では、画像がスクリーン５５にほぼ垂直に入射する。したがって、比較的高コストの光拡散板、全反射プリズムアレイまたはホログラムパターンをスクリーン５５として使用しうるが、さらに低コストで一般的なレンチキューラスクリーンやマイクロレンズスクリーンを使用することも可能になる。このようなスクリーン５５は、第１実施例と同様に、透明導光板５４の表面に直接形成されるか、または透明な光接着剤を利用して透明導光板５４の表面に付着されることもある。
【００４２】
本発明は、図面に示した実施形態を参照して説明されたが、それは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００４３】
本発明は、携帯電話、ノート型パソコンのような携帯用機器の小型ディスプレイの製造に利用可能である。
【図面の簡単な説明】
【００４４】
【図１】ノート型パソコンまたはモバイル用として使用しうる従来の小型背面投射ディスプレイの例を概略的に示す図である。
【図２】ノート型パソコンまたはモバイル用として使用しうる従来の小型背面投射ディスプレイの例を概略的に示す図である。
【図３Ａ】ノート型パソコンまたはモバイル用として使用しうる従来の小型背面投射ディスプレイの例を概略的に示す図である。
【図３Ｂ】ノート型パソコンまたはモバイル用として使用しうる従来の小型背面投射ディスプレイの例を概略的に示す図である。
【図４】本発明の一実施例によるコンパクトな背面投射ディスプレイの側面構造を概略的に示す図である。
【図５Ａ】本発明の一実施例によるコンパクトな背面投射ディスプレイの正面構造を概略的に示す図である。
【図５Ｂ】本発明の一実施例によるコンパクトな背面投射ディスプレイの上面構造を概略的に示す図である。
【図５Ｃ】本発明の一実施例によるコンパクトな背面投射ディスプレイでスクリーンが本体上に折り畳まれた状態を示す図である。
【図６】本発明の一実施例によるコンパクトな背面投射ディスプレイの動作を概略的に示す図である。
【図７】本発明の他の実施例によるコンパクトな背面投射ディスプレイの側面構造を概略的に示す図である。
【図８】図７に示された背面投射ディスプレイにおいて、透明導光板に形成されたミラーアレイの構造を拡大して示す図である。
【符号の説明】
【００４５】
４０  コンパクトな背面投射ディスプレイ
４１  本体部
４２  画像提供部
４３  折り畳みミラー
４４  透明導光板
４５  スクリーン
４７  ヒンジ部材
【図１】
0005137386.tif 000002
【図２】
0005137386.tif 000003
【図３Ａ】
0005137386.tif 000004
【図３Ｂ】
0005137386.tif 000005
【図４】
0005137386.tif 000006
【図５Ａ】
0005137386.tif 000007
【図５Ｂ】
0005137386.tif 000008
【図５Ｃ】
0005137386.tif 000009
【図６】
0005137386.tif 000010
【図７】
0005137386.tif 000011
【図８】
0005137386.tif 000012